(57)【要約】【課題】  ヨーヨー紐の機能を損なうことなくヨーヨー紐に装着でき、年少者及び初心者でも簡単にヨーヨーを手元に引き戻すことができるヨーヨー紐巻付補助装置を提供する。【解決手段】  ヨーヨー紐巻付補助装置３は、一対の回転体１０，６０と、一対の回転体１０，６０の中心部間に設けられた主軸２６に回動可能に設けられた回転軸１２２とからなるヨーヨー１の回転軸１２２に巻き付けられるヨーヨー紐２に取り付けられる構成である。装置本体４はヨーヨー紐２を挿通することが可能な内径４ａと一対の回転体１０，６０の隙間よりも狭い外径４ｂを有するパイプ状に形成され、ヨーヨー紐２と共に撓む弾力性を備え、ヨーヨー紐２に対して摺動可能且つ摩擦抵抗により所定位置で保持可能であり、回転中の回転体１０，６０の側面１８，１８に接触することによりヨーヨー紐２を回転軸１２２に巻き付けていく。【選択図】図２１
2011104286.tif 000002
【特許請求の範囲】
【請求項１】
一対の回転体と、
一対の回転体の中心部間に設けられた主軸と、
前記主軸に回動可能に設けられた回転軸とからなるヨーヨーの回転軸に巻き付けられるヨーヨー紐に取り付けられるヨーヨー紐巻付補助装置であって、
装置本体は前記ヨーヨー紐を挿通することが可能な内径と一対の回転体の隙間よりも狭い外径を有するパイプ状に形成され、ヨーヨー紐と共に撓む弾力性を備え、ヨーヨー紐に対して摺動可能且つ摩擦抵抗により所定位置で保持可能であり、回転中の回転体の側面に接触することによりヨーヨー紐を回転軸に巻き付けていくことを特徴とするヨーヨー紐巻付補助装置。
【請求項２】
一対の回転体と、
一対の回転体の中心部間に設けられた主軸とからなるヨーヨーの主軸に巻き付けられるヨーヨー紐に取り付けられるヨーヨー紐巻付補助装置であって、
装置本体は前記ヨーヨー紐を挿通することが可能な内径と一対の回転体の隙間よりも狭い外径を有するパイプ状に形成され、ヨーヨー紐と共に撓む弾力性を備え、ヨーヨー紐に対して摺動可能且つ摩擦抵抗により所定位置で保持可能であり、回転中の回転体の側面に接触することによりヨーヨー紐を主軸に巻き付けていくことを特徴とするヨーヨー紐巻付補助装置。
【請求項３】
前記装置本体は、回転体の半径よりも短く形成されていることを特徴とする請求項１又は２記載のヨーヨー紐巻付補助装置。
【請求項４】
前記装置本体は、拡開可能な切り溝が軸方向に向かって直線状に形成されていることを特徴とする請求項１、２又は３記載のヨーヨー紐巻付補助装置。
【発明の詳細な説明】
【技術分野】
【０００１】
本発明は、回転軸にヨーヨー紐の下端を取り付け、回転軸にヨーヨー紐を巻き付けながら上昇し、回転軸からヨーヨー紐を解きながら下降するヨーヨーのヨーヨー紐に取り付け、ヨーヨー回転中の回転軸にヨーヨー紐を容易に巻き付けられるようしたヨーヨー紐巻付補助装置に関する。
【背景技術】
【０００２】
従来のヨーヨーは、一対の回転体と、一対の回転体の中心部間に設けられた主軸とからなる。この従来のヨーヨーは、次のようにして遊ぶことができる。主軸にヨーヨー紐の下部を取り付け、ヨーヨー紐の上部に中指を通すためのループを形成し、主軸にヨーヨー紐を巻き付けてからループに中指を通して一対の回転体を把持し、一対の回転体を下方に放り投げるように落下させる。ヨーヨーは、ヨーヨー紐を解きながら下降し、最下位置で主軸が空回りして空転する。ヨーヨー紐を軽く上方に引っ張ると、ヨーヨー紐が弛緩し、一対の回転体の側面に設けられた溝とヨーヨー紐との摩擦抵抗により主軸にヨーヨー紐を巻き付けながら上昇する（例えば、特許文献１）。
【０００３】
また近年のヨーヨーは、一対の回転体と、一対の回転体の中心部間に設けられた主軸と、前記主軸に回動可能に設けられた回転軸とからなる。前述した従来のヨーヨーを改良した構成であり、ヨーヨー紐を主軸に直接取り付けるのではなく、ヨーヨー紐を回転軸に取り付けて、空転時の慣性力を向上させ、多彩な技を駆使できるようにしている。この近年のヨーヨーは、次のようにして遊ぶことができる。回転軸にヨーヨー紐の下部を取り付け、ヨーヨー紐の上部に中指を通すためのループを形成し、回転軸にヨーヨー紐を巻き付けてからループに中指を通して一対の回転体を把持し、一対の回転体を下方に放り投げるように落下させる。ヨーヨーは、ヨーヨー紐を解きながら下降し、最下位置で回転軸が空回りして空転する。ヨーヨー紐を軽く上方に引っ張ると、ヨーヨー紐が弛緩し、一対の回転体の側面に設けられた溝とヨーヨー紐との摩擦抵抗により回転軸にヨーヨー紐を巻き付けながら上昇する（例えば、特許文献２，３）。
【先行技術文献】
【特許文献】
【０００４】
【特許文献１】特公昭５７−１２６３３号公報
【特許文献２】特開２０００−３５５６４号公報
【特許文献３】特開２００３−１３５８５９号公報
【発明の概要】
【発明が解決しようとする課題】
【０００５】
ヨーヨーは、最下位置でぶら下げた空転状態において、例えば、「犬の散歩」、「スリーパー」、「ブランコ」、「ブレークアウェイ」等の技を展開した後に、手に引き戻すことで技の終了となる。この空転状態から紐巻き付け状態に移行させて手に引き戻すには、ヨーヨー紐を軽く上方に引っ張ることにより行うことができ、弛緩したヨーヨー紐と回転体の側面に設けられた溝との摩擦抵抗により回転軸又は主軸にヨーヨー紐が巻き付けられる。この空転状態から紐巻き付け状態に移行される技術は、弛緩した紐と回転体の側面との間で巻き付ける程度の摩擦抵抗を発生させられるか否かによるが、ヨーヨー紐自体抵抗が小さくて滑りやすいため、年少者や初心者にとっては極めて難しく、慣れている者であってもできないことがあるという問題点があった。手元に引き戻すことができないヨーヨーは、次第に慣性力が減衰し、回転を停止させることになる。そのため、またヨーヨー紐を巻き付けなければならず極めて面倒であるという問題点があった。また、何度やってもなかなか手元に引き戻すことができないと、飽きてしまい、ヨーヨー遊びそのものに興味を失ってしまうという問題点があった。
【０００６】
本願発明は、上記問題点に鑑み案出したものであって、ヨーヨー紐の機能を損なうことなくヨーヨー紐に装着でき、簡単に回転体の側面とでヨーヨー紐を巻き付ける程度の摩擦抵抗を発生させられるので、年少者及び初心者でも簡単にヨーヨーを手元に引き戻すことができ、飽きずにヨーヨー遊びを楽しむことができるヨーヨー紐巻付補助装置を提供することを目的とする。
【課題を解決するための手段】
【０００７】
本願請求項１記載のヨーヨー紐巻付補助装置は、上記目的を達成するため、一対の回転体と、一対の回転体の中心部間に設けられた主軸と、前記主軸に回動可能に設けられた回転軸とからなるヨーヨーの回転軸に巻き付けられるヨーヨー紐に取り付けられるヨーヨー紐巻付補助装置であって、装置本体は前記ヨーヨー紐を挿通することが可能な内径と一対の回転体の隙間よりも狭い外径を有するパイプ状に形成され、ヨーヨー紐と共に撓む弾力性を備え、ヨーヨー紐に対して摺動可能且つ摩擦抵抗により所定位置で保持可能であり、回転中の回転体の側面に接触することによりヨーヨー紐を回転軸に巻き付けていくことを特徴とする。
【０００８】
本願請求項２記載のヨーヨー紐巻付補助装置は、上記目的を達成するため、一対の回転体と、一対の回転体の中心部間に設けられた主軸とからなるヨーヨーの主軸に巻き付けられるヨーヨー紐に取り付けられるヨーヨー紐巻付補助装置であって、装置本体は前記ヨーヨー紐を挿通することが可能な内径と一対の回転体の隙間よりも狭い外径を有するパイプ状に形成され、ヨーヨー紐と共に撓む弾力性を備え、ヨーヨー紐に対して摺動可能且つ摩擦抵抗により所定位置で保持可能であり、回転中の回転体の側面に接触することによりヨーヨー紐を主軸に巻き付けていくことを特徴とする。
【０００９】
本願請求項３記載のヨーヨー紐巻付補助装置は、上記目的を達成するため、前記装置本体は、回転体の半径よりも短く形成されていることを特徴とする。また、本願請求項４記載のヨーヨー紐巻付補助装置は、上記目的を達成するため、前記装置本体は、拡開可能な切り溝が軸方向に向かって直線状に形成されていることを特徴とする。
【発明の効果】
【００１０】
本願発明に係るヨーヨー紐巻付補助装置は、ヨーヨー紐を挿通することが可能な内径と一対の回転体の隙間よりも狭い外径を有するパイプ状に形成され、ヨーヨー紐と共に撓む弾力性を備えている。当該ヨーヨー巻付補助装置は、ヨーヨー紐を挿通することによって使用される。ヨーヨーは、ヨーヨー紐の下部をヨーヨーの主軸に回動可能に設けられた回転軸に取り付け、さらにヨーヨー紐の上部に中指を通すためのループを形成した後、ヨーヨー紐を回転軸に巻き付けてからループに中指を通して把持し、下方に放り投げるように落下させると、ヨーヨー紐を解きながら下降し、最下位置で回転軸に対して主軸が空回りして空転する。
【００１１】
本願発明に係るヨーヨー巻付補助装置は、ヨーヨー紐を挿通すると、ヨーヨー紐に対して摺動可能且つ摩擦抵抗により所定位置で保持可能であるので、ヨーヨー紐のどの位置でも定着することができる。当該ヨーヨー巻付補助装置は、ヨーヨー紐のループ側に位置させておくと、最下位置で空転しているヨーヨーの回転体と接触することがないので、ヨーヨーの巻き付け上昇に何等影響を与えることがなく、年少者や初心者には困難な通常のヨーヨー遊びを提供することができる。当該ヨーヨー巻付補助装置は、一対の回転体側に位置させておくと、最下位置で空転しているヨーヨーの回転体の側面と接触可能となり、ヨーヨー紐を軽く上方に引っ張ると、ヨーヨー紐が弛緩して回転体の側面に接触し、回転体の側面との摩擦抵抗により回転軸にヨーヨー紐を巻き付けながらヨーヨーが上昇するので、ヨーヨーの巻き付け上昇を簡単且つ確実に行わせることができ、年少者や初心者でも容易なヨーヨー遊びを提供することができるという効果がある。本願発明に係るヨーヨー巻付補助装置は、年少者及び初心者でも簡単にヨーヨーを手元に引き戻すことができるようになるので、飽きずにヨーヨー遊びを楽しむことができるという効果がある。
【００１２】
又、本願発明に係るヨーヨー紐巻付補助装置は、回転軸を備えていない次のヨーヨーでも使用することができる。次のヨーヨーは、ヨーヨー紐の下部をヨーヨーの主軸に回動可能に取り付け、さらにヨーヨー紐の上部に中指を通すためのループを形成した後、ヨーヨー紐を主軸に巻き付けてからループに中指を通して把持し、下方に放り投げるように落下させると、ヨーヨー紐を解きながら下降し、最下位置で主軸が空回りして空転する。
【００１３】
本願発明に係るヨーヨー巻付補助装置は、ヨーヨー紐のループ側に位置させておくと、最下位置で空転しているヨーヨーの回転体と接触することがないので、ヨーヨーの巻き付け上昇に何等影響を与えることがなく、年少者や初心者には困難な通常のヨーヨー遊びを提供することができる。当該ヨーヨー巻付補助装置は、一対の回転体側に位置させておくと、最下位置で空転しているヨーヨーの回転体の側面と接触可能となり、ヨーヨー紐を軽く上方に引っ張ると、ヨーヨー紐が弛緩して回転体の側面に接触し、回転体の側面との摩擦抵抗により主軸にヨーヨー紐を巻き付けながらヨーヨーが上昇するので、ヨーヨーの巻き付け上昇を簡単且つ確実に行わせることができ、年少者や初心者でも容易なヨーヨー遊びを提供することができるという効果がある。
【００１４】
本願発明に係るヨーヨー巻付補助装置は、回転体の半径よりも短く形成されていると、一対の回転体の内側に隠れてしまうため、見栄えが良いと共に、年少者や初心者が簡単にヨーヨー遊び行っていることに対して不思議感を与え、観ている者を驚かすことができるという効果がある。また、本願発明に係るヨーヨー紐巻付補助装置は、拡開可能な切り溝が軸方向に向かって直線状に形成されていると、ヨーヨー紐を挿通させないで、ヨーヨー紐に簡単に脱着することができるので、既にヨーヨーに取り付けてあるヨーヨー紐であっても容易に装着することができるという効果がある。
【図面の簡単な説明】
【００１５】
【図１】電動ヨーヨー玩具の全体説明図であって、（ａ）が一方向から視た全体側面断面図、（ｂ）が一部省略した他方向から視た側面断面図、（ｃ）がさらに他方向から視た全体側面断面図である。
【図２】電動ヨーヨー玩具の一方の回転体の説明図であって、（ａ）が一方の回転体の全体正面図、（ｂ）が検出装置の正面図、（ｃ）が検出装置の側面図である。
【図３】電動ヨーヨー玩具の他方の回転体の説明図であって、（ａ）が全体正面図、（ｂ）が側面図である。
【図４】一方の回転体の回転ケースの説明図であって、（ａ）が全体正面図、（ｂ）が矢視Ａ方向の断面図、（ｃ）が側面図、（ｄ）が全体背面図、（ｅ）が矢視Ｂ方向の断面図、（ｆ）が矢視Ｃ方向の断面図である。
【図５】一方の回転体の外カバーの説明図であって、（ａ）が全体正面図、（ｂ）が矢視Ａ方向の断面図、（ｃ）が右側面図、（ｄ）が全体背面図、（ｅ）が矢視Ｂ方向の断面図、（ｆ）が矢視Ｃ方向の断面図、（ｇ）が下面図である。
【図６】一方の回転体の主軸部材の説明図であって、（ａ）が全体正面図、（ｂ）が右側面図、（ｃ）が矢視Ａ方向の断面図、（ｄ）が全体背面図、（ｅ）が矢視Ｂ方向の断面図である。
【図７】一方の回転体のモーター取付板の説明図であって、（ａ）が全体正面図、（ｂ）が右側面断面図、（ｃ）が右側面図、（ｄ）が全体背面図である。
【図８】他方の回転体の回転ケースの説明図であって、（ａ）が全体正面図、（ｂ）が矢視Ａ方向の断面図、（ｃ）が矢視Ｂ方向の断面図、（ｄ）が右側面図、（ｅ）が全体背面図、（ｆ）が矢視Ｃ方向の断面図、（ｇ）が矢視Ｄ方向の断面図、（ｈ）が矢視Ｇ方向の断面図、（ｉ）が矢視Ｅ方向の断面図、（ｊ）が矢視Ｆ方向の断面図である。
【図９】他方の回転体の外カバーの説明図であって、（ａ）が全体正面図、（ｂ）が右側面図、（ｃ）が矢視Ａ方向の断面図、（ｄ）が全体背面図、（ｅ）が矢視Ｂ方向の断面図である。
【図１０】他方の回転体の蓋体の説明図であって、（ａ）が全体正面図、（ｂ）が矢視Ａ方向の断面図、（ｃ）が右側面図、（ｄ）が全体背面図、（ｅ）が矢視Ｂ方向の断面図、（ｆ）が下面図である。
【図１１】回転軸の説明図であって、（ａ）が左側面図、（ｂ）が正面図、（ｃ）が断面図、（ｄ）が右側面図である。
【図１２】第１の固定接触板を取り付ける取付板の説明図であって、（ａ）が正面図、（ｂ）が上面図、（ｃ）が下面図、（ｄ）が左側面断面図、（ｅ）が左側面図、（ｆ）が背面図である。
【図１３】電動ヨーヨー玩具の部品の説明図であって、（ａ）が駆動歯車、（ｂ）が中間軸、（ｃ）が固定軸（内伝導軸）、（ｄ）が他方の回転体側の金属舌片、（ｅ）が一方の回転体側の金属舌片、（ｆ）が第１の固定接触板、（ｇ）が導通帯である。
【図１４】第１の固定接触板を取り付ける取付板の他の説明図であって、（ａ）が正面図、（ｂ）が上面図、（ｃ）が下面図、（ｄ）が左側面断面図、（ｅ）が左側面図、（ｆ）が背面図、（ｇ）が使用形態を示す正面図、（ｈ）が使用形態を示す側面図である。
【図１５】電動ヨーヨー玩具の電気構成図である。
【図１６】電動ヨーヨー玩具の一方の回転体の他の説明図であって、（ａ）が一方の回転体の全体正面図、（ｂ）が検出装置の正面図、（ｃ）が検出装置の側面図である。
【図１７】第１の固定接触板を取り付ける取付板の他の説明図であって、（ａ）が正面図、（ｂ）が上面図、（ｃ）が下面図、（ｄ）が左側面断面図、（ｅ）が左側面図、（ｆ）が背面図である。
【図１８】電動ヨーヨー玩具の部品の他の説明図であって、（ａ）が揺動接触子、（ｂ）が接触片である。
【図１９】電動ヨーヨー玩具の他の電気構成図である。
【図２０】電動ヨーヨー玩具の他の全体説明図である。
【図２１】本願発明に係るヨーヨー紐巻付補助装置の使用形態を示す説明図である。
【図２２】本願発明に係るヨーヨー紐巻付補助装置の使用形態を示す説明図である。
【図２３】本願発明に係るヨーヨー紐巻付補助装置の全体斜視図である。
【発明を実施するための形態】
【００１６】
本願発明の一つの実施の形態の概要を図２１至図２３に基づいて説明する。ヨーヨー紐巻付補助装置３は、一対の回転体１０，６０と、一対の回転体１０，６０の中心部間に設けられた主軸２６と、前記主軸２６に回動可能に設けられた回転軸１２２とからなるヨーヨー１の回転軸１２２に巻き付けられるヨーヨー紐２に取り付けられる構成である。装置本体４は前記ヨーヨー紐２を挿通することが可能な内径４ａと一対の回転体１０，６０の隙間よりも狭い外径４ｂを有するパイプ状に形成され、ヨーヨー紐２と共に撓む弾力性を備え、ヨーヨー紐２に対して摺動可能且つ摩擦抵抗により所定位置で保持可能であり、回転中の回転体１０，６０の側面１８，１８に接触することによりヨーヨー紐２を回転軸１２２に巻き付けていく。
【００１７】
ヨーヨー紐巻付補助装置３は、ヨーヨー紐２を挿通することによって使用される。ヨーヨー１は、ヨーヨー紐２の下部をヨーヨー１の主軸２６に回動可能に設けられた回転軸１２２に取り付け、さらにヨーヨー紐２の上部に中指を通すためのループを形成した後、ヨーヨー紐２を回転軸１２２に巻き付けてからループに中指を通して把持し、下方に放り投げるように落下させると、ヨーヨー紐２を解きながら下降し、最下位置で回転軸１２２に対して主軸２６が空回りしてヨーヨー１が空転する。
【００１８】
ヨーヨー巻付補助装置３は、ヨーヨー紐２を挿通すると、ヨーヨー紐２に対して摺動可能且つ摩擦抵抗により所定位置で保持可能であるので、ヨーヨー紐２のどの位置でも定着することができる。当該ヨーヨー巻付補助装置３は、ヨーヨー紐２のループ側に位置させておくと、最下位置で空転しているヨーヨー１の回転体１０，６０と接触することがないので、ヨーヨー１の巻き付け上昇に何等影響を与えることがなく、年少者や初心者には困難な通常のヨーヨー遊びとなる。当該ヨーヨー巻付補助装置３は、一対の回転体１０，６０側に位置させておくと、最下位置で空転しているヨーヨー１の回転体１０，６０の側面１８，１８と接触可能となり、ヨーヨー紐２を軽く上方に引っ張ると、ヨーヨー紐２が弛緩して回転体１０，６０の側面１８，１８に接触し、回転体１０，６０の側面１８，１８との摩擦抵抗により回転軸１２２にヨーヨー紐２を巻き付けながらヨーヨー１が上昇するので、ヨーヨー１の巻き付け上昇を簡単且つ確実に行わせることができ、年少者や初心者でも容易なヨーヨー遊びとなる。このように、ヨーヨー巻付補助装置３は、年少者及び初心者でも簡単にヨーヨー１を手元に引き戻すことができるようになるので、飽きずにヨーヨー遊びを楽しむことができる。
【００１９】
ヨーヨー巻付補助装置３は、一対の回転体１０，６０と、一対の回転体１０，６０の中心部間に設けられた主軸２６とからなるヨーヨー１の主軸２６に巻き付けられるヨーヨー紐２に取り付けられる構成であっても良い。装置本体４は前記ヨーヨー紐２を挿通することが可能な内径４ａと一対の回転体１０，６０の隙間よりも狭い外径４ｂを有するパイプ状に形成され、ヨーヨー紐２と共に撓む弾力性を備え、ヨーヨー紐２に対して摺動可能且つ摩擦抵抗により所定位置で保持可能であり、回転中の回転体１０，６０の側面１８，１８に接触することによりヨーヨー紐２を主軸２６に巻き付けていく。
【００２０】
当該ヨーヨー１は、ヨーヨー紐２の下部をヨーヨー１の主軸２６に回動可能に取り付け、さらにヨーヨー紐２の上部に中指を通すためのループを形成した後、ヨーヨー紐２を主軸２６に巻き付けてからループに中指を通して把持し、下方に放り投げるように落下させると、ヨーヨー紐２を解きながら下降し、最下位置で主軸２６が空回りして空転する。
【００２１】
ヨーヨー巻付補助装置３は、ヨーヨー紐２のループ側に位置させておくと、最下位置で空転しているヨーヨー１の回転体１０，６０と接触することがないので、ヨーヨー１の巻き付け上昇に何等影響を与えることがなく、年少者や初心者には困難な通常のヨーヨー遊びとなる。ヨーヨー巻付補助装置３は、一対の回転体１０，６０側に位置させておくと、最下位置で空転しているヨーヨー１の回転体１０，６０の側面１８，１８と接触可能となり、ヨーヨー紐２を軽く上方に引っ張ると、ヨーヨー紐２が弛緩して回転体１０，６０の側面１８，１８に接触し、回転体１０，６０の側面１８，１８との摩擦抵抗により主軸２６にヨーヨー紐２を巻き付けながらヨーヨー１が上昇するので、ヨーヨー１の巻き付け上昇を簡単且つ確実に行わせることができ、年少者や初心者でも容易なヨーヨー遊びとなる。
【００２２】
ヨーヨー巻付補助装置３は、回転体１０，６０の半径よりも短く形成されていると、一対の回転体１０，６０の内側に隠れてしまうため、見栄えが良いと共に、年少者や初心者が簡単にヨーヨー遊び行っていることに対して不思議感を与え、観ている者を驚かすことができる。また、ヨーヨー紐巻付補助装置３は、拡開可能な切り溝５が軸方向に向かって直線状に形成されていると、ヨーヨー紐２を挿通させないで、図２３（ｂ）に示すように、切り溝５を拡開して、ヨーヨー紐２に簡単に脱着することができるので、既にヨーヨー１に取り付けてあるヨーヨー紐２であっても容易に装着することができる。
【００２３】
電動ヨーヨー玩具１の概要を図１乃至図１５に基づいて説明する。電動ヨーヨー玩具１は、一対の回転体１０，６０と、一対の回転体１０，６０の中心部間に設けられた主軸２６と、前記主軸２６に回動可能に設けられ、紐部材（ヨーヨー紐）２を巻き付ける回転軸１２２とからなる。一方の回転体１０には、駆動モータ１３０と、駆動モータ１３０の回転を回転軸１２２に伝達する歯車機構１４０と、回転体１０の回転を検出する検出装置１００が設けられている。他方の回転体６０には、電源８１，８２が設けられている。主軸２６には、一方の回転体１０の駆動モータ１３０及び検出装置１００と、他方の回転体６０の電源８１，８２を電気的に接続する伝導手段４０が設けられている。
【００２４】
電動ヨーヨー玩具１は、上記したように、他方の回転体６０に設けられた電源８１，８２と一方の回転体１０に設けられた駆動モータ１３０及び検出装置１００が、一対の回転体１０，６０の中心部間に設けられた主軸２６に配置された伝導手段４０によって電気的に接続されて電気回路を構成しているので、左右の回転体１０，６０に重量がバランス良く配分されており、軽量化及びコンパクト化を図ることができ、年少者や初心者でも取り扱いが容易である。
【００２５】
電動ヨーヨー玩具１は、前記伝導手段４０が、主軸２６の内側に設けられた内伝導軸４１と、主軸２６の外側に設けられた外伝導軸１２１とからなる。そのため、電動ヨーヨー玩具１は、内伝導軸４１と外伝導軸１２１が接触することなく、安全な電気回路を構成することができる。
【００２６】
電動ヨーヨー玩具１は、前記外伝導軸１２１が筒状に形成されて主軸２６の外側に設けられ、当該外伝導軸１２１に回転軸１２２が回動可能に設けられている。そのため、電動ヨーヨー玩具１は、外伝導軸１２１が金属製の導電素材で形成されるので、外伝導軸１２１の摩擦抵抗が小さいく、回転軸１２２のスムーズな回転を期待することができ、しかも外伝導軸１２１の摩耗が極めて少ないため、商品寿命が長い。
【００２７】
電動ヨーヨー玩具１は、前記内伝導軸４１が主軸２６内に挿通されて一対の回転体１０，６０を固定する固定軸となる。そのため、電動ヨーヨー玩具１は、一対の回転体１０，６０を固定して一体化する手段を別途設ける必要がなく、部品点数を減らして安価且つコンパクトに製造することができる。また固定軸をネジで構成すれば、一方の回転体１０と他方の回転体６０が容易に分解可能になり、紐の絡みを簡単にはずすことができる。
【００２８】
電動ヨーヨー玩具１の前記検出装置１００は、第１の固定接触板１０３と、前記第１の固定接触板１０３から離して設けられた第２の固定接触板１０５と、前記第１の固定接触板１０３と前記第２の固定接触板１０５に略同時に接触する接触位置と、第１の固定接触板１０３と第２の固定接触板１０５の少なくとも一方に接触しない非接触位置に転動する転動接触子１０１と、前記転動接触子１０１を非接触位置で保持する磁石１１５とからなる。電動ヨーヨー玩具１は、前記転動接触子１０１が、回転体１０の回転による慣性力により、磁石１１５の磁力に抗して転動し、第１の固定接触板１０３と第２の固定接触板１０５に略同時に接触して、遠心力で接触し続け、駆動モータ１３０を駆動するように構成されている。従って、電動ヨーヨー玩具１は、確実且つ迅速に回転を検出することができる。
【００２９】
電動ヨーヨー玩具１は、前記第２の固定接触板１０５が前記第１の固定接触板１０３の両側に設けられ、前記転動接触子１０１が第１の固定接触板１０３と一方の第２の固定接触板１０５に接触すると駆動モータ１３０が一方向に駆動し、第１の固定接触板１０３と他方の第２の固定接触板１０５に接触すると駆動モータ１３０が他方向に駆動するように構成されている。電動ヨーヨー玩具１は、検出した回転体１０の回転方向へ駆動モータ１３０により回転体１０を強制的に回転させることができ、スムーズな遊びを提供することができる。
【００３０】
本願発明の他の実施の形態の概要を図１６乃至図１９に基づいて説明する。電動ヨーヨー玩具１の他の検出装置１５０は、一端が枢着され、振り子状に揺動可能な揺動接触子１５１と、前記揺動接触子１５１から離して設けられ、揺動接触子１５１の揺動時に接触する固定接触板１０５と、前記揺動接触子１５１を固定接触板１０５との非接触位置で保持する磁石１６５とからなる。前記揺動接触子１５１は、回転体１０の回転による慣性力により、磁石１６５の磁力に抗して揺動し、固定接触板１０５に接触して、遠心力で接触し続け、駆動モータ１３０を駆動するように構成されている。この電動ヨーヨー玩具１は、確実且つ迅速に回転を検出することができ、しかも、部品点数が少なくて安価である。
【００３１】
電動ヨーヨー玩具１は、前記固定接触板１０５は、前記揺動接触子１５１の両側に設けられ、前記揺動接触子１５１が一方の固定接触板１０５に接触すると駆動モータ１３０が一方向に駆動し、他方の固定接触板１０５に接触すると駆動モータ１３０が他方向に駆動するように構成されている。電動ヨーヨー玩具１は、検出した回転体１０の回転方向へ駆動モータ１３０により回転体１０を強制的に回転させることができ、スムーズな遊びを提供することができる。
【００３２】
電動ヨーヨー玩具１は、検出装置１００，１００、１５０，１５０が一方の回転体１０に対向して一対設けられ、両検出装置１００，１００、１５０，１５０が回転を検出することによって駆動モータ１３０が駆動するように構成されている。電動ヨーヨー玩具１は、一方の検出装置１００，１５０が検出するだけでは駆動モータ１３０が駆動せず、従って不用意に突然駆動モータ１３０が駆動してしまうことを回避することができる。
【００３３】
さらに、電動ヨーヨー玩具について図１乃至図１５に基づいて詳細に説明する。図１に示すように、電動ヨーヨー玩具１は、円盤状に形成された一対の回転体１０，６０と、一対の回転体１０，６０の中心部間に設けられた主軸２６とを有する。一方の回転体１０は、回転ケース１１と回転ケース１１にネジ止めされる外カバー２２とで構成されている。
【００３４】
図４に示すように、回転ケース１１は、合成樹脂によって一体成形され、側壁１２と、側壁１２の周囲に連接された湾曲壁１３と、湾曲壁１３の周囲に形成された周壁１５とで椀状に形成されている。側壁１２の略中心には、開口１６が形成されている。側壁１２の外側面１２ａであって、開口１６の周囲には、環状の凹部１７が形成されている。図１に示すように、凹部１７には、リング状の抵抗板１８が嵌着されている。
【００３５】
側壁１２の内側面１２ｂには、開口１６を中心として４つの取付ボス２１・・が設けられている。図１に示すように、当該取付ボス２１には、主軸部材２５がネジ等により取り付けられる。図６に示すように、主軸部材２５は、合成樹脂によって一体成形され、主軸２６と、主軸２６の一端に形成された矩形状の取付板２７とからなる。取付板２７には、前記取付ボス２１・・の位置と合致する位置に透孔２８が形成されている。主軸２６は、筒状に形成され、内部に固定軸（内伝導軸）４１を挿通する挿通孔２９が設けられている。図１３（ｃ）に示すように、固定軸（内伝導軸）４１は、金属等の導電性素材で形成され、軸部４２とフランジ部４３とからなり、軸部４２にネジ４５が形成されている。
【００３６】
取付板２７の表面２７ａには、図１３（ｅ）に示す、金属舌片３０を嵌着する嵌着凹部３１が形成され、前記挿通孔２９が嵌着凹部３１を貫通している。また、取付板２７には、図１３（ｇ）に示す、主軸２６に取り付けられるリング状導通帯３６の折曲片３７を差し込む差込孔３２が形成されている。さらに取付板２７の対向する両側縁には、矩形状のガイド凹部３３，３３が形成され、他の対向する両側縁には、歯車を挿通させる半円状の切り欠き凹部３５，３５が形成されている。
【００３７】
また、図１に示すように、前記取付ボス２１・・には、モータ取付板５０がネジ等により取り付けられている。図７に示すように、モータ取付板５０の一方の面５０ａには、前記取付ボス２１・・の位置と合致する位置に位置決め管５１が設けられ、この位置決め管５１の位置に連通孔５２が形成されている。また、モータ取付板５０は、他方の面５０ｂにモータ取付凹部５３が形成され、さらに駆動モータ１３０の駆動軸１３１を挿通する開口５５が形成されている。さらにモータ取付板５０の対向する両側縁には、矩形状のガイド凹部５７，５７が形成され、他の対向する両側縁の近傍には、軸受け孔５６，５６が形成されている。
【００３８】
他方の回転体６０は、図１に示すように、回転ケース６１と回転ケース６１にネジ止めされる外カバー９０とで構成されている。図８に示すように、回転ケース６１は、合成樹脂によって一体成形され、側壁６２と、側壁６２の周囲に連接された湾曲壁６３と、湾曲壁６３の周囲に形成された周壁６５とで椀状に形成されている。側壁６２の略中心には、軸受け穴６６が形成されている。側壁６２の外側面６２ａであって、軸受け穴６６の周囲には、軸筒部６４が形成され、軸筒部６４の周囲には環状の凹部６７が形成されている。図１に示すように、凹部６７には、リング状の抵抗板１８が嵌着されている。
【００３９】
側壁６２の内側面６２ｂには、軸受け穴６６を中心として、図１３（ｄ）に示す金属舌片７０を嵌着する略Ｃ字状のガイド壁６９が形成されている。側壁６２には、図１３（ｇ）に示す、軸筒部６４に取り付けられるリング状導通帯３６の折曲片３７を差し込む差込孔７２が形成されている。さらに回転ケース６１の内側面６２ｂ側には、一対の電池（電源）８１，８２を装着する装着凹部７３と（図３（ｂ）参照）、電池８１，８２の正極及び負極が接触する接触端子８５，８６，８７を取り付ける取付凹部７５，７６，７７が形成されている。図９に示すように、外カバー９０には、電池８１，８２を装着凹部７３から着脱する開口９１が形成されている。この開口９１には、図１０に示すように、蓋体９２が開閉可能に取り付けられる。
【００４０】
図２に示すように、一方の回転体１０に取り付けられる検出装置１００は、金属製球体（転動接触子）１０１と、金属製球体１０１を案内する案内部材１０２と（図１２参照）、案内部材１０２に固定される第１の固定接触板１０３と、第１の固定接触板１０３の両側に離して設けられた第２の固定接触板１０５とからなる。案内部材１０２は、取付板１０６と、取付板１０６の一方に突設された半円状の突起１０７と、突起１０７を中心として湾曲したガイド壁１０９と、取付板１０６の他方に形成され、ガイド壁１０９の略中間部に位置する磁石取付枠１１０とからなる。磁石取付枠１１０には、磁石１１５が取り付けられている。突起１０７の略中心には、軸孔１０８が形成されている。
【００４１】
案内部材１０２は、回転ケース１１の内側面１２ｂ側に対向して配置され、図４（ａ）に示す回転ケース１１に対向して形成された突起２３のネジ穴２３ａに軸孔１０８を合わせ、ネジ１１１を軸孔１０８に挿通してネジ穴２３ａに螺合することにより、回転ケース１１の内側面１２ｂ側に対向して固定される。なお、案内部材１０２は、磁石取付枠１１０が前記主軸部材２５の取付板２７のガイド凹部３３とモータ取付板５０のガイド凹部５７に嵌合するので、ネジ１１１により回動不能に固定される。
【００４２】
また、ネジ１１１で案内部材１０２が回転ケース１１に固定される際、このネジ１１１により第１の固定接触板１０３が突起１０７に固定される。図１３（ｆ）に示すように、第１の固定接触板１０３は、突起１０７の外周から突出するように形成された略半円状のガイド板１１２とガイド板１１２の一端で略直角に折り曲げられた折曲片１１３とからなる。前記金属製球体１０１は、図２（ｂ）に示すように、ガイド板１１２の周縁とガイド壁１０９の間を転動するようになっており、前記した磁石１１５によりガイド壁１０９の略中心で安定して保持される。この保持状態を一層確実にするため、図１４に示すように、ガイド壁１０９に金属製球体１０１を係合する係合凹部１１６を形成しても良い。
【００４３】
第２の固定接触板１０５は、帯状に形成され、回転ケース１１の内側面１２ｂ側に形成されたガイド突起１１７と１１８によって半環状に湾曲した状態で保持されている。第２の固定接触板１０５は、両端が折曲して当接部１２０が形成されている。当接部１２０，１２０は、ガイド板１１２の両側に設けられ、金属製球体１０１が一方に転動すると一方の当接部１２０とガイド板１１２に接触し、金属製球体１０１が他方に転動すると他方の当接部１２０とガイド板１１２に接触する。
【００４４】
外カバー２２には、前述したように、回転ケース１１にネジ止めされ、図５に示すように、前記金属球体１０１がガイド板１１２の周縁とガイド壁１０９の間を転動するように案内する半環状のガイド突起４６が形成されている。さらに外カバー２２には、略中央に駆動モータ１３０を覆う山状の凸部４７が形成されている。
【００４５】
図１に示すように、一方の回転体１０は、回転ケース１１の取付ボス２１に主軸部材２５の取付板２７の透孔２８とモータ取付板５０の位置決め管５１を順番に重ね合わせ、ネジ５８を連通孔５２、透孔２８を通して取付ボス２１に螺合することにより、主軸部材２５及びモータ取付板５０が固定される。前記主軸２６は、回転ケース１１の開口１６から外側に突出する。主軸２６には、前述したように、リング状導通帯３６が取り付けられ、リング状導通帯３６の折曲片３７が取付板２７の差込孔３２に差し込まれて内側に突出する。
【００４６】
主軸２６には、伝導性筒体（外伝導軸）１２１が設けられている。伝導性筒体（外伝導軸）１２１は、一端が一方の回転体１０側の導通帯３６に接触し、他端が他方の回転体６０側の導通帯３６に接触している。伝導性筒体（外伝導軸）１２１には、非伝導素材、例えば合成樹脂によって形成された回転軸１２２が回動可能に設けられている。図１１に示すように、回転軸１２２は、紐巻き付け溝１２３と従動歯車１２４が形成されている。紐巻き付け溝１２３は、一方の回転体１０と他方の回転体６０の略中間に位置する。従動歯車１２４は、一方の回転体１０内に配置されている。
【００４７】
駆動モータ１３０は、前記したモータ取付板５０のモータ取付凹部５３に取り付けられ、駆動軸１３１が開口５５からモータ取付板５０と取付板２７間に突出する。この駆動軸１３１には、図１３（ａ）に示す駆動歯車１３２が固定して取り付けられている。当該駆動歯車１３２は、図１３（ｂ）に示す中間軸１３３の一方に固定された平歯車１３５と噛み合っている。また、前記回転軸１２２の従動歯車１２４は、中間軸１３３の他方に固定された小歯車１３６と噛み合っている。中間軸１３３は、モータ取付板５０の軸受け穴５６と回転ケース１１に形成された軸受け穴１９に回動可能に取り付けられている。この駆動歯車１３２と、平歯車１３５と、小歯車１３６と、従動歯車１２４とによって、駆動モータ１３０の回転を回転軸１２２に伝達する歯車機構１４０を構成している。
【００４８】
電動ヨーヨー玩具１は、以下のように組み立てられる。主軸部材２５の主軸２６にリング状導通帯３６を装着し、リング状導通帯３６の折曲片３７を取付板２７の差込孔３２に差し込んで固定する。主軸２６に伝導性筒体（外伝導軸）１２１を取り付けると、伝導性筒体（外伝導軸）１２１の一端が導通帯３６に当接する。伝導性筒体（外伝導軸）１２１に回転軸１２２を回動可能に取り付ける。なお、回転軸１２２の従動歯車１２４は、取付板２７側に位置させる。主軸部材２６の取付板２７の嵌着凹部３１に金属舌片３０を嵌着し、固定軸（内伝導軸）４１を主軸２６の挿通孔２９に挿通しておく。固定軸（内伝導軸）４１のフランジ部４３が金属舌片３０に接触する。
【００４９】
駆動モータ１３０をモータ取付板５０のモータ取付凹部５３に取り付けると、駆動軸１３１がモータ取付板５０の開口５５から突出し、この突出した駆動軸１３１に駆動歯車１３２を固定する。回転ケース１１の取付ボス２１に主軸部材２５の取付板２７の透孔２８とモータ取付板５０の位置決め管５１を順番に重ね合わせ、ネジ５８を連通孔５２、透孔２８を通して取付ボス２１に螺合することにより、主軸部材２５及びモータ取付板５０が回転ケース１１に固定される。
【００５０】
なお、この時同時に中間軸１３３をモータ取付板５０の軸受け穴５６と回転ケース１１に形成された軸受け穴１９に回動可能に取り付ける。駆動歯車１３２に中間軸１３３の平歯車１３５が噛み合い、回転軸１２２の従動歯車１２４に中間軸１３３の小歯車１３６が噛み合う。一対の第２の固定接触板１０５及び案内部材１０２を回転ケース１１の所定位置に取り付けた後、回転ケース１１に外カバー２２を固定する。
【００５１】
他方の回転体６０の回転ケース６１の軸筒部６４にリング状導通帯３６を装着し、リング状導通帯３６の折曲片３７を回転ケース６１の差込孔７２に差し込んで固定する。回転ケース６１のガイド壁６９に金属舌片７０を嵌着する。一方の回転体１０に取り付けられた固定軸（内伝導軸）４１を回転ケース６１の軸受け穴６６に挿通し、固定軸（内伝導軸）４１のネジ４５にナット４８を螺合すると、一方の回転体１０に回転ケース６１が固定される。伝導性筒体（外伝導軸）１２１の他端が回転ケース６１の導通帯３６に当接する。固定軸（内伝導軸）４１のネジ４５及びナット４８に金属舌片７０が接触する。回転ケース６１の装着凹部７３に電池８１，８２を装着した後、回転ケース６１に外カバー９０を固定する。電池８１，８２は、外カバー９０の蓋体９２を外すことによっても着脱することができる。
【００５２】
電動ヨーヨー玩具１の電気構成は、以下のようになっている。図１５に示すように、電池８１，８２の正極接触端子８５は、他方の回転体６０の導通帯３６、伝導性筒体（外伝導軸）１２１、一方の回転体１０の導通帯３６を介して一方の第２の固定接触板１０５ａに接続されている。電池８１，８２の負極接触端子８７は、他方の回転体６０の金属舌片７０、固定軸（内伝導軸）４１、一方の回転体１０の金属舌片３０を介して他方の第２の固定接触板１０５ｂに接続されている。一方の第１の固定接触板１０３ａは、駆動モータ１３０の一方の端子１３０ａに接続され、他方の第１の固定接触板１０３ｂは、駆動モータ１３０の他方の端子１３０ｂに接続されている。この伝導性筒体（外伝導軸）１２１と固定軸（内伝導軸）４１とによって、一方の回転体１０の駆動モータ１３０及び検出装置１００と他方の回転体６０の電源８１，８２を電気的に接続する伝導手段４０を構成する。
【００５３】
電動ヨーヨー玩具１は、次のように使用することができる。図１５に示すように、電動ヨーヨー玩具１は、無回転の時、金属製球体１０１が磁石１１５によって、第２の固定接触板１０５の当接部１２０から離れた位置（非接触位置）Ｐ０で保持されており、電池８１，８２の電流が駆動モータ１３０に流れていないので、駆動モータ１３０は非駆動状態である。図２１、２２に示すように、回転軸１２２に紐部材（ヨーヨー紐）２の下部を連結し、紐部材（ヨーヨー紐）２を回転軸１２２に巻き付ける。紐部材（ヨーヨー紐）２の上部に形成されたループに中指を通して電動ヨーヨー玩具１を掴持し、この電動ヨーヨー玩具１を下方に押し出すと、一対の回転体１０，６０が回転軸１２２から紐部材（ヨーヨー紐）２を解きながら回転して下降する。
【００５４】
回転体１０が回転すると、駆動モータ１３０が作動する。即ち、図１５において、回転体１０が時計方向に回転すると、慣性力により金属製球体１０１が磁石１１５の磁力に抗して反時計方向に転動し、上方に位置する金属製球体１０１ａが一方の第１の固定接触板１０３ａと一方の第２の固定接触板１０５ａに同時に接触する接触位置Ｐ１に移動し、下方に位置する金属製球体１０１ｂが他方の第１の固定接触板１０３ｂと他方の第２の固定接触板１０５ｂに同時に接触する接触位置Ｐ１に移動する。
【００５５】
電池８１，８２の電流が、正極接触端子８５、他方の回転体６０の導通帯３６、伝導性筒体（外伝導軸）１２１、一方の回転体１０の導通帯３６、一方の第２の固定接触板１０５ａ、金属製球体１０１ａ、一方の第１の固定接触板１０３ａ、駆動モータ１３０の端子１３０ａ、駆動モータ１３０の端子１３０ｂ、他方の第１の固定接触板１０３ｂ、金属製球体１０１ｂ、他方の第２の固定接触板１０５ｂ、一方の回転体１０の金属舌片３０、固定軸（内伝導軸）４１、他方の回転体６０の金属舌片７０を介して電池８１，８２の負極接触端子８７に流れ、駆動モータ１３０の駆動軸１３１が反時計方向に回転する。
【００５６】
駆動軸１３１が反時計方向に回転すると、駆動軸１３１に取り付けられた駆動歯車１３２、駆動歯車１３２と噛み合う平歯車１３５、平歯車１３５を固定する中間軸１３３、中間軸１３３に固定された小歯車１３６、小歯車１３６と噛み合う従動歯車１２４が回転し、回転軸１２２が反時計方向に回転しようとする。回転軸１２２は、紐部材（ヨーヨー紐）２の下部に連結・固定されているので回転せず、従って回転体１０が回転軸１２２を中心として時計方向に高速回転する。
【００５７】
回転体１０が回転している限り、遠心力で、金属製球体１０１ａが一方の第１の固定接触板１０３ａと一方の第２の固定接触板１０５ａに同時に接触し、金属製球体１０１ｂが他方の第１の固定接触板１０３ｂと他方の第２の固定接触板１０５ｂに接触し続けるので、回転体１０の高速回転が保持される。電動ヨーヨー玩具１は、紐部材（ヨーヨー紐）２にぶら下げた状態で、一対の回転体１０，６０が回転し続けるので、多種多様な技を展開することができる。
【００５８】
電動ヨーヨー玩具１は、一対の回転体１０，６０が回転し続けながら紐部材（ヨーヨー紐）２にぶら下げられている状態において、僅かに紐部材（ヨーヨー紐）２を上方に引っ張ると、紐部材（ヨーヨー紐）２が弛んで回転体１０，６０に固定されている抵抗板１８，１８に接触し、紐部材（ヨーヨー紐）２と抵抗板１８の摩擦抵抗により回転体１０，６０が紐部材（ヨーヨー紐）２を巻き付けながら上昇する。上昇時に一対の回転体１０，６０が手によって把持されるので、一対の回転体１０，６０の回転が停止する。回転体１０は、回転を停止すると、金属製球体１０１に遠心力が働かなくなり、金属製球体１０１が磁石１１５の磁力によって、第２の固定接触板１０５の当接部１２０から離れた非接触位置に戻り、駆動モータ１３０の駆動が停止する。
【００５９】
また、電動ヨーヨー玩具１を下方に押し出すと、一対の回転体１０，６０が回転軸１２２から紐部材（ヨーヨー紐）２を解きながら反時計回転して下降する。図１５において、回転体１０が反時計方向に回転すると、慣性力により金属製球体１０１が磁石１１５の磁力に抗して時計方向に転動し、上方に位置する金属製球体１０１ａが一方の第１の固定接触板１０３ａと他方の第２の固定接触板１０５ｂに同時に接触する接触位置Ｐ２に移動し、下方に位置する金属製球体１０１ｂが他方の第１の固定接触板１０３ｂと一方の第２の固定接触板１０５ａに同時に接触する接触位置Ｐ２に移動する。
【００６０】
電池８１，８２の電流が、正極接触端子８５、他方の回転体６０の導通帯３６、伝導性筒体（外伝導軸）１２１、一方の回転体１０の導通帯３６、一方の第２の固定接触板１０５ａ、金属製球体１０１ｂ、他方の第１の固定接触板１０３ｂ、駆動モータ１３０の端子１３０ｂ、駆動モータ１３０の端子１３０ａ、一方の第１の固定接触板１０３ａ、金属製球体１０１ａ、他方の第２の固定接触板１０５ｂ、一方の回転体１０の金属舌片３０、固定軸（内伝導軸）４１、他方の回転体６０の金属舌片７０を介して電池８１，８２の負極接触端子８７に流れ、駆動モータ１３０の駆動軸１３１が時計方向に回転する。
【００６１】
駆動軸１３１が時計方向に回転すると、駆動軸１３１に取り付けられた駆動歯車１３２、駆動歯車１３２と噛み合う平歯車１３５、平歯車１３５を固定する中間軸１３３，中間軸１３３に固定された小歯車１３６、小歯車１３６と噛み合う従動歯車１２４が回転し、回転軸１２２が時計方向に回転しようとする。回転軸１２２は、紐部材（ヨーヨー紐）２の下部に連結・固定されているので回転せず、従って回転体１０が回転軸１２２を中心として反時計方向に高速回転する。
【００６２】
回転体１０が回転している限り、遠心力で、金属製球体１０１ａが一方の第１の固定接触板１０３ａと他方の第２の固定接触板１０５ｂに同時に接触し、金属製球体１０１ｂが他方の第１の固定接触板１０３ｂと一方の第２の固定接触板１０５ａに接触し続けるので、回転体１０の高速回転が保持される。前述したのと同様に、電動ヨーヨー玩具１は、紐部材（ヨーヨー紐）２にぶら下げた状態で、一対の回転体１０，６０が回転し続けるので、多種多様な技を展開することができる。
【００６３】
電動ヨーヨー玩具１は、一対の回転体１０，６０が回転し続けながら紐部材（ヨーヨー紐）２にぶら下げられている状態において、僅かに紐部材（ヨーヨー紐）２を上方に引っ張ると、紐部材（ヨーヨー紐）２が弛んで回転体１０，６０に固定されている抵抗板１８，１８に接触し、紐部材（ヨーヨー紐）２と抵抗板１８の摩擦抵抗により回転体１０，６０が紐部材（ヨーヨー紐）２を巻き付けながら上昇する。上昇時に一対の回転体１０，６０が手によって把持されるので、一対の回転体１０，６０の回転が停止する。回転体１０は、回転を停止すると、金属製球体１０１に遠心力が働かなくなり、金属製球体１０１が磁石１１５の磁力によって、第２の固定接触板１０５の当接部１２０から離れた非接触位置に戻り、駆動モータ１３０の駆動が停止する。
【００６４】
上記検出装置１００は、金属製球体を利用した転動接触子１０１で説明したが、図１６乃至図１９に説明するように、金属製の揺動接触子１５１で構成しても構わない。一方の回転体１０に取り付けられる検出装置１５０は、揺動接触子１５１と、揺動接触子１５１を揺動可能に枢着する案内部材１５２と、揺動接触子１５１の両側に離して設けられた固定接触板１０５とからなる。図１７に示すように、案内部材１５２は、取付板１５６と、取付板１５６の一方に形成された軸穴１５７と、取付板１５６の他方に形成された磁石取付枠１６０とからなる。磁石取付枠１６０には、磁石１６５が取り付けられている。
【００６５】
案内部材１５２は、回転ケース１１の内側面１２ｂ側に対向して配置され、図１６（ａ）に示す回転ケース１１に対向して形成された突起２３のネジ穴２３ａに軸穴１５７を合わせ、支軸１５３のネジ部１５４を軸穴１５７に挿通してネジ穴２３ａに螺合することにより、回転ケース１１の内側面１２ｂ側に対向して固定される。なお、案内部材１５２は、磁石取付枠１６０が前記主軸部材２５の取付板２７のガイド凹部３３とモータ取付板５０のガイド凹部５７に嵌合するので、支軸１５３により回動不能に固定される。図１８（ａ）に示すように、前記揺動接触子１５１は、支軸１５３に揺動可能に取り付けられている。
【００６６】
また、支軸１５３で案内部材１５２が回転ケース１１に固定される際、この支軸１５３により接触片１６６が案内部材１５２に固定される。図１８（ｂ）に示すように、接触片板１６６は、略半円状の基板１６７と基板１６７の一端で略直角に折り曲げられた折曲片１６８とからなる。前記揺動接触子１５１は、金属支軸１５３，ネジ部１５４を通じて基板１６７（接触片１６６）と常時接触するようになっており、前部１６３が前記磁石１６５により略中心で安定して保持され、通常は両側の固定接触板１０５と接触しないようになっている。なお、固定接触板１０５は、前述した通りである。
【００６７】
この電動ヨーヨー玩具１の電気構成は、以下のようになっている。図１９に示すように、電池８１，８２の正極接触端子８５は、他方の回転体６０の導通帯３６、伝導性筒体（外伝導軸）１２１、一方の回転体１０の導通帯３６を介して一方の固定接触板１０５ａに接続されている。電池８１，８２の負極接触端子８７は、他方の回転体６０の金属舌片７０、固定軸（内伝導軸）４１、一方の回転体１０の金属舌片３０を介して他方の固定接触板１０５ｂに接続されている。一方の接触片１６６ａは、駆動モータ１３０の一方の端子１３０ａに接続され、他方の接触片１６６ｂは、駆動モータ１３０の他方の端子１３０ｂに接続されている。
【００６８】
電動ヨーヨー玩具１は、次のように使用することができる。電動ヨーヨー玩具１は、無回転の時、揺動接触子１５１が磁石１６５によって、固定接触板１０５の当接部１２０から離れた位置（非接触位置）で保持されており、電池８１，８２の電流が駆動モータ１３０に流れていないので、駆動モータ１３０は非駆動状態である。図２１、２２に示すように、回転軸１２２に紐部材（ヨーヨー紐）２の下部を連結・固定し、紐部材（ヨーヨー紐）２を回転軸１２２に巻き付ける。紐部材（ヨーヨー紐）２の上部に形成されたループに中指を通して電動ヨーヨー玩具１を掴持し、この電動ヨーヨー玩具１を下方に押し出すと、一対の回転体１０，６０が回転軸１２２から紐部材（ヨーヨー紐）２を解きながら回転して下降する。
【００６９】
回転体１０が回転すると、駆動モータ１３０が作動する。即ち、図１９において、回転体１０が時計方向に回転すると、慣性力により揺動接触子１５１が磁石１６５の磁力に抗して揺動し、上方に位置する揺動接触子１５１ａが一方の固定接触板１０５ａに接触し、下方に位置する揺動接触子１５１ｂが他方の固定接触板１０５ｂに接触する。
【００７０】
電池８１，８２の電流が、正極接触端子８５、他方の回転体６０の導通帯３６、伝導性筒体（外伝導軸）１２１、一方の回転体１０の導通帯３６、一方の固定接触板１０５ａ、揺動接触子１５１ａ、一方の接触片１６６ａ、駆動モータ１３０の端子１３０ａ、駆動モータ１３０の端子１３０ｂ、他方の接触片１６６ｂ、揺動接触子１５１ｂ、他方の固定接触板１０５ｂ、一方の回転体１０の金属舌片３０、固定軸（内伝導軸）４１、他方の回転体６０の金属舌片７０を介して電池８１，８２の負極接触端子８７に流れ、駆動モータ１３０の駆動軸１３１が反時計方向に回転する。駆動軸１３１が反時計方向に回転すると、前述したように、回転体１０が回転軸１２２を中心として時計方向に高速回転する。
【００７１】
回転体１０が回転している限り、遠心力で、揺動接触子１５１ａが一方の固定接触板１０５ａに接触し、揺動接触子１５１ｂが他方の固定接触板１０５ｂに接触し続けるので、回転体１０の高速回転が保持される。電動ヨーヨー玩具１は、紐部材（ヨーヨー紐）２にぶら下げた状態で、一対の回転体１０，６０が回転し続けるので、多種多様な技を展開することができる。
【００７２】
電動ヨーヨー玩具１は、一対の回転体１０，６０が回転し続けながら紐部材（ヨーヨー紐）２にぶら下げられている状態において、僅かに紐部材（ヨーヨー紐）２を上方に引っ張ると、紐部材（ヨーヨー紐）２が弛んで回転体１０，６０に固定されている抵抗板１８、１８に接触し、紐部材（ヨーヨー紐）２と抵抗板１８の摩擦抵抗により回転体１０，６０が紐部材（ヨーヨー紐）２を巻き付けながら上昇する。上昇時に一対の回転体１０，６０が手によって把持されるので、一対の回転体１０，６０の回転が停止する。回転体１０は、回転を停止すると、揺動接触子１５１に遠心力が働かなくなり、揺動接触子１５１が磁石１６５の磁力によって、固定接触板１０５の当接部１２０から離れた非接触位置に戻り、駆動モータ１３０の駆動が停止する。
【００７３】
また、電動ヨーヨー玩具１を下方に押し出すと、一対の回転体１０，６０が回転軸１２２から紐部材（ヨーヨー紐）２を解きながら反時計回転して下降する。図１９において、回転体１０が反時計方向に回転すると、慣性力により揺動接触子１５１が磁石１６５の磁力に抗して揺動し、上方に位置する揺動接触子１５１ａが他方の固定接触板１０５ｂに同時に接触し、下方に位置する揺動接触子１５１ｂが一方の固定接触板１０５ａに接触する。
【００７４】
電池８１，８２の電流が、正極接触端子８５、他方の回転体６０の導通帯３６、伝導性筒体（外伝導軸）１２１、一方の回転体１０の導通帯３６、一方の固定接触板１０５ａ、揺動接触子１５１ｂ、他方の接触片１６６ｂ、駆動モータ１３０の端子１３０ｂ、駆動モータ１３０の端子１３０ａ、一方の接触片１６６ａ、揺動接触子１５１ａ、他方の固定接触板１０５ｂ、一方の回転体１０の金属舌片３０、固定軸（内伝導軸）４１、他方の回転体６０の金属舌片７０を介して電池８１，８２の負極接触端子８７に流れ、駆動モータ１３０の駆動軸１３１が時計方向に回転する。駆動軸１３１が時計方向に回転すると、前述したように、回転体１０が回転軸１２２を中心として反時計方向に高速回転する。
【００７５】
回転体１０が回転している限り、遠心力で、揺動接触子１５１ａが他方の固定接触板１０５ｂに接触し、揺動接触子１５１ｂが一方の固定接触板１０５ａに接触し続けるので、回転体１０の高速回転が保持される。前述したのと同様に、電動ヨーヨー玩具１は、紐部材（ヨーヨー紐）２にぶら下げた状態で、一対の回転体１０，６０が回転し続けるので、多種多様な技を展開することができる。
【００７６】
電動ヨーヨー玩具１は、一対の回転体１０，６０が回転し続けながら紐部材（ヨーヨー紐）２にぶら下げられている状態において、僅かに紐部材（ヨーヨー紐）２を上方に引っ張ると、紐部材（ヨーヨー紐）２が弛んで回転体１０，６０に固定されている抵抗板１８に接触し、紐部材（ヨーヨー紐）２と抵抗板１８の摩擦抵抗により回転体１０，６０が紐部材（ヨーヨー紐）２を巻き付けながら上昇する。上昇時に一対の回転体１０，６０が手によって把持されるので、一対の回転体１０，６０の回転が停止する。回転体１０は、回転を停止すると、揺動接触子１５１に遠心力が働かなくなり、揺動接触子１５１が磁石１６５の磁力によって、固定接触板１０５の当接部１２０から離れた非接触位置に戻り、駆動モータ１３０の駆動が停止する。
【００７７】
上記実施の形態では、駆動モータ１３０の形状から、回転ケース１０，６０の外カバー２２の形状が外側に突出した形状となっているが、図２０に示すように、駆動モータ１３０の形状を変えることにより、回転ケース１０，６０の外カバー２２の形状を突出高さを押さえることができ、回転体１０，６０をより軽量にし、且つコンパクトにすることができる。
【００７８】
上記したように、電動ヨーヨー玩具１は、内部に収納された駆動モータ１３０により回転体１０，６０を強制的に回転させるので、年少者や初心者でも難易度の高い技を繰り出すことができるものである。難易度の高い技として、例えば、「犬の散歩」、「スリーパー」、「ブランコ」、「ブレークアウェイ」等がある。これらの難易度の高い技は、紐部材（ヨーヨー紐）にぶら下げた状態で回転体１０，５０を高速回転させて行うことが基本であり、この回転体１０，５０の高回転は、前述したように駆動モータ１３０により達成することができる。電動ヨーヨー玩具１は、前述した技を展開した後に、手に引き戻すことで技の終了となる。
【００７９】
電動ヨーヨー玩具１は、一対の回転体１０，６０が回転し続けながら紐部材（ヨーヨー紐）２にぶら下げられている緊張状態において、僅かに紐部材（ヨーヨー紐）２を上方に引っ張ると、紐部材（ヨーヨー紐）２が弛んで回転体１０，６０に固定されている抵抗板１８，１８に接触し、紐部材（ヨーヨー紐）２と抵抗板１８の摩擦抵抗により回転体１０，６０が紐部材（ヨーヨー紐）２を巻き付けながら上昇する。この僅かに紐部材（ヨーヨー紐）２を上方に引っ張って、紐部材（ヨーヨー紐）２と抵抗板１８に摩擦抵抗を発生させる動作は、年少者及び初心者に極めて難しいものである。つまり、電動ヨーヨー玩具１に用いられる紐部材（ヨーヨー紐）２は、滑りやすい性質を有し、抵抗板１８と摺接しても摩擦抵抗が発生し難いからである。
【００８０】
本願発明に係る電動ヨーヨー玩具１は、図２１乃至２３に示すように、これを取り扱う紐部材（ヨーヨー紐）２に可撓性パイプ３が摺動可能に取り付けられている。可撓性パイプ３は、弾力性、復元性、フレキシブル性を備えた、軟質合成樹脂、ウレタン、ゴム等の素材で形成されることが望ましい。このような素材であれば、可撓性パイプ３は、紐部材（ヨーヨー紐）２と共に回転軸１２２に巻き付けられたり、引き伸ばされたりしても紐部材（ヨーヨー紐）２に追随した動きを行うことができ、電動ヨーヨー玩具１の動作に何等悪影響を及ぼすことがない。可撓性パイプ３は、紐部材（ヨーヨー紐）２に被せて使用し、紐部材（ヨーヨー紐）２に対して摺動可能であり、所望する位置に摺動させて、摩擦抵抗によりその摺動させた位置で保持させることができる。
【００８１】
可撓性パイプ３は、図２１（ａ），図２２（ａ）に示すように、一対の回転体１０，６０が紐部材（ヨーヨー紐）２にぶら下げられた緊張状態において、一対の回転体１０，６０から離れた位置に摺動させた場合には、一対の回転体１０，６０の抵抗板１８，１８と接触しないので、電動ヨーヨー玩具１を手に引き戻すのに技術や慣れが必要となる。
【００８２】
可撓性パイプ３は、図２１（ｂ），図２２（ｂ）に示すように、一対の回転体１０，６０が紐部材（ヨーヨー紐）２にぶら下げられた緊張状態において、一対の回転体１０，６０の近傍位置となるまで摺動させた場合には、一対の回転体１０，６０の抵抗板１８，１８と接触可能となるので、電動ヨーヨー玩具１を容易に手に引き戻すことが可能となる。なお、係る場合においても、可撓性パイプ３は、一対の回転体１０，６０が紐部材（ヨーヨー紐）２にぶら下げられた緊張状態において、両回転体１０，６０と接触することなく、回転体１０と回転体６０の間の空間に位置する。
【００８３】
電動ヨーヨー玩具１は、一対の回転体１０，６０が回転し続けながら紐部材（ヨーヨー紐）２にぶら下げられている緊張状態において、僅かに紐部材（ヨーヨー紐）２を上方に引っ張ると、紐部材（ヨーヨー紐）２が弛んで可撓性パイプ３が回転体１０又は／及び回転体６０の抵抗板１８，１８に接触し、可撓性パイプ３と抵抗板１８の摩擦抵抗により回転体１０，６０が紐部材（ヨーヨー紐）２を巻き付けながら上昇する。可撓性パイプ３と抵抗板１８，１８には大きな摩擦抵抗が発生するので、年少者及び初心者であっても容易に引き戻すことができる。なお、可撓性パイプ３は、電動ヨーヨー玩具に限定されず、通常のヨーヨー玩具の紐部材（ヨーヨー紐）にも利用できるのは勿論である。
【００８４】
可撓性パイプ３は、図２３（ａ）に示すように、ヨーヨー紐２を挿通することが可能な内径４ａと一対の回転体１０，６０の隙間よりも狭い外径４ｂを有するパイプ状に形成され、ヨーヨー紐２と共に撓む弾力性を備え、ヨーヨー紐２に対して摺動可能且つ摩擦抵抗により所定位置で保持可能である。可撓性パイプ３は、回転体１０，６０の半径よりも短く形成されていると、一対の回転体１０，６０の内側に隠れてしまうため、見栄えが良いと共に、年少者や初心者が簡単にヨーヨー遊び行っていることに対して不思議感を与え、観ている者を驚かすことができる。また、可撓性パイプ３は、図２３（ｂ）に示すように、拡開可能な切り溝５が軸方向に向かって直線状に形成されていると、ヨーヨー紐２を挿通させないで、切り溝５を拡開してヨーヨー紐２に簡単に脱着することができるので、既にヨーヨー１に取り付けてあるヨーヨー紐２であっても容易に装着することができる。
【産業上の利用可能性】
【００８５】
本願発明は、ヨーヨーの回転軸に巻き付けられるヨーヨー紐に利用可能である。
【符号の説明】
【００８６】
１  電動ヨーヨー玩具（ヨーヨー）
２  紐部材（ヨーヨー紐）
３  ヨーヨー紐巻付補助装置（可撓性パイプ、ゴムパイプ）
４  装置本体
４ａ  内径
４ｂ  外径
５  切り溝
１０  一方の回転体
１１  回転ケース
１２  側壁
１２ａ  外側面
１２ｂ  内側面
１３  湾曲壁
１５  周壁
１６  開口
１７  凹部
１８  抵抗板（側面）
１９  軸受け穴
２１  取付ボス
２２  外カバー
２３  突起
２３ａ  ネジ穴
２５  主軸部材
２６  主軸
２７  取付板
２７ａ  表面
２８  透孔
２９  挿通孔
３０  金属舌片
３１  嵌着凹部
３２  差込孔
３３  ガイド凹部
３５  切り欠き凹部
３６  導通帯
３７  折曲片
４０  伝導手段
４１  固定軸（内伝導軸）
４２  軸部
４３  フランジ部
４５  ネジ
４６  ガイド突起
４７  凸部
４８  ナット
５０  モータ取付板
５０ａ  一方の面
５０ｂ  他方の面
５１  位置決め管
５２  連通孔
５３  モータ取付凹部
５５  開口
５６  軸受け孔
５７  ガイド凹部
５８  ネジ
６０  他方の回転体
６１  回転ケース
６２  側壁
６２ａ  外側面
６２ｂ  内側面
６３  湾曲壁
６４  軸筒部
６５  周壁
６６  軸受け穴
６７  凹部
６９  ガイド壁
７０  金属舌片
７２  差込孔
７３  装着凹部
７５  取付凹部
７６  取付凹部
７７  取付凹部
８１  電池（電源）
８２  電池（電源）
８５  接触端子
８６  接触端子
８７  接触端子
９０  外カバー
９１  開口
９２  蓋体
１００  検出装置
１０１  金属製球体（転動接触子）
１０２  案内部材
１０３  第１の固定接触板
１０５  第２の固定接触板
１０６  取付板
１０７  突起
１０８  軸孔
１０９  ガイド壁
１１０  磁石取付枠
１１１  ネジ
１１２  ガイド板
１１３  折曲片
１１５  磁石
１１６  係合凹部
１１７  ガイド突起
１１８  ガイド突起
１２０  当接部
１２１  伝導性筒体（外伝導軸）
１２２  回転軸
１２３  紐巻き付け溝
１２４  従動歯車
１３０  駆動モータ
１３０ａ  端子
１３０ｂ  端子
１３１  駆動軸
１３２  駆動歯車
１３３  中間軸
１３５  平歯車
１３６  小歯車
１４０  歯車機構
１５０  検出装置
１５１  揺動接触子
１５２  案内部材
１５３  支軸
１５４  ネジ部
１５６  取付板
１５７  軸穴
１６０  磁石取付枠
１６２  後端部
１６３  前部
１６５  磁石
１６６  接触片
１６７  基板
１６８  折曲片
【図１】
2011104286.tif 000003
【図２】
2011104286.tif 000004
【図３】
2011104286.tif 000005
【図４】
2011104286.tif 000006
【図５】
2011104286.tif 000007
【図６】
2011104286.tif 000008
【図７】
2011104286.tif 000009
【図８】
2011104286.tif 000010
【図９】
2011104286.tif 000011
【図１０】
2011104286.tif 000012
【図１１】
2011104286.tif 000013
【図１２】
2011104286.tif 000014
【図１３】
2011104286.tif 000015
【図１４】
2011104286.tif 000016
【図１５】
2011104286.tif 000017
【図１６】
2011104286.tif 000018
【図１７】
2011104286.tif 000019
【図１８】
2011104286.tif 000020
【図１９】
2011104286.tif 000021
【図２０】
2011104286.tif 000022
【図２１】
2011104286.tif 000023
【図２２】
2011104286.tif 000024
【図２３】
2011104286.tif 000025